(57)【特許請求の範囲】
【請求項１】
辺縁部で支持される圧電素子を有し、高強度の超音波を送波するためのアレイ型超音波送波器において、
前記圧電素子は、水中における超音波波長の１ないし２倍の直径をもち、凸面または凹面の超音波放射面をもつ球殻状であり、前記辺縁部の質量を相対的に増やすよう、前記球殻の内側からの見込み角が６０ないし１８０度であることを、
特徴とするアレイ型超音波送波器。
【請求項２】
前記圧電素子は、水中における超音波波長の２０分の１以上６分の１以下の厚さを有することを特徴とする請求項１記載のアレイ型超音波送波器。
【発明の詳細な説明】
【技術分野】
【０００１】
本発明は、超音波を腫瘍などの病的組織に集束して送波することにより、それを治療するためのアレイ型超音波送波器に関するものである。
【背景技術】
【０００２】
腫瘍などを治療することを目的に、病的組織に高強度の超音波を集束して送波し、そのエネルギーによって病的組織に壊死をもたらす高強度集束超音波治療法は、現在、臨床的に普及しつつある。その原理は、体表または体腔表面近くに置いた送波器から、生体組織に適度に吸収される周波数１ＭＨｚ弱ないし数ＭＨｚの超音波を発し、１程度のＦナンバー（Ｆ値）にて病的組織に集束させるものである。超音波周波数の概略の大きさが、生体中の超音波伝播距離に応じて選ばれる結果、一般に、数十波長のサイズの開口をもつ送波器が用いられる。
【０００３】
最初に開発された体腔内挿入式送波器は、このサイズの一体型球殻状圧電体よりなるもので、これを機械的に動かすことによって超音波焦点を治療目的領域に対して走査するものである。次に開発された体表接触式送波器は、多数の圧電素子を配列したアレイ型で、超音波焦点を治療目的領域に対して電子的に走査可能なものである。高速に行うことに利のある焦点走査範囲は１ｃｍ程度であるので、後者においても、電子的走査範囲をその程度に設定し、圧電素子を球殻状に配列することによって、独立駆動可能な圧電素子または素子群の必要数を抑えて、それらを駆動するアンプ数やケーブル本数を抑えている。その結果、電気的に独立駆動可能な圧電素子または素子群の幅およびその隣接間隔は１波長以上となる。
【０００４】
ここで、基準としている生体内の超音波波長は、水中の波長にほぼ等しく、圧電セラミック中の波長は、その２ないし３倍である。従って、半波長厚み共振型の圧電セラミック素子の厚さは、水中の波長と同程度となり、その幅を１波長程度に選ぶと、図１１に示すように、幅と厚みとが同程度となってしまう。
【０００５】
ＰＺＴに代表される圧電セラミックは、分極方向に電界をかけるとその方向に伸び縮みする縦圧電効果を有するが、それだけでなく、電界方向に伸びるときそれに直交する方向に縮み、電界方向に縮むときそれに直交する方向に伸びる横圧電効果を有する。この効果が、通常の弾性体でも有する、１方向に伸びるときそれに直交する方向に縮み、１方向に縮むときそれに直交する方向に伸びる性質に加わるので、厚みと幅とが同程度の圧電セラミックに電界をかけると、厚み方向の歪に幅方向の歪が結合した複合変形を生ずる。このため、厚み方向に一様な変形を得られず、疎密波源として望ましい排除体積変化を効率良く得ることが困難である。
【０００６】
そこで、従来の体表接触式アレイ型送波器では、１−３複合圧電材を用いている。これは、圧電セラミックを厚みに比べて充分に狭い幅の柱状に細かく分割し、隙間に高分子材を充填して位置決めした構造をもつ。柱状構造により、厚み方向に伸縮するとき、幅方向の変形と結合しにくいので、上記のような問題が生じない（例えば、非特許文献１参照）。
【先行技術文献】
【非特許文献】
【０００７】
【非特許文献１】第２回国際超音波治療シンポジウム会議録（Proceedingsof 2nd International Symposium on Therapeutic Ultrasound，2002，Seattle，USA）、p.428-436
【発明の概要】
【発明が解決しようとする課題】
【０００８】
高強度集束超音波治療に必要な高出力超音波を送波するには、送波器を構成する圧電体に高電界を印加させる必要がある。従来のような、半波長厚み共振型の圧電セラミックまたはそれを基本とする１−３複合圧電材では、水中波長程度の厚さをもつ圧電体の両側に取り付けた前面および背面電極の間に電圧を印加する必要があるので、高出力送波器に必要な高電界を与えるのに、高電圧が必要である。結果として、高強度集束超音波治療用の送波器には、数百Ｖ程度の高い送波電圧が必要となっているという課題があった。この電圧は、超音波周波数域で用いることのできる半導体回路の耐圧の上限に近く、高強度集束超音波治療装置を構成する上での制約となっている。特に、機械走査用の一体型球殻状圧電送波器とは異なり、アレイ型送波器を駆動するには多数のアンプが必要であるので、この制約は重大である。
【０００９】
また、複合圧電材には、圧電セラミック柱の隙間を充填する高分子材が用いられており、これが、圧電セラミックが高電界下で大変形するのを受けて大きく歪む。このときに生ずる熱による温度上昇に起因する高分子自身の熱破壊が、このような構造をもつ複合圧電材より成る送波器の超音波出力の上限を決めているという課題もあった。
【００１０】
本発明は、このような課題に着目してなされたもので、より低い電極間電圧において圧電体に高電界を印加でき、かつ、高超音波出力時にも発熱の少ない素子構造を有するアレイ型超音波送波器を提供することを目的としている。これにより、高強度集束超音波治療のためのアレイ型送波器の性能を向上させ、装置全体のコストを抑制することができる。
【課題を解決するための手段】
【００１１】
上記目的を達成するために、本発明者らは、共振特性を厚み共振でなく幅方向の機械的共振により得ることにより、厚み方向の電極間距離を縮めることを可能とし、低い電極間電圧においても圧電体に高電界を印加できる圧電素子構造を採用した。このためには、縦圧電効果だけでなく横圧電効果を積極的に利用する必要がある。本発明者らは、この目的のために、回転軸対称性をもつ様々な圧電素子形状について、印加電圧と超音波出力との関係を調べた結果、超音波放射面および背面の両方またはどちらか一方に、球面状の曲率を与えることにより、同じ印加電圧において大きな超音波出力が得られることを見出し、本発明に至った。
【００１２】
また、本発明者らは、球殻状の圧電素子について、素子見込み角を１２０°程度以上に選べば、素子をハウジングに支持する辺縁部の振動振幅を適度に抑制できることを見出した。凹面状の超音波放射面と平面状の背面をもつ圧電素子については、素子見込み角を４５°程度以上に選べば、同様の効果が得られることを見出した。
【００１３】
さらに、凹面状の超音波放射面をもつ球殻状の圧電素子について、素子見込み角を１８０°近くに選ぶと、凸面状の超音波放射面をもつ球殻状の圧電素子について、素子見込み角を１８０°近くに選んだ場合に比べて段違いに良好な超音波出力特性が得られることを見出した。これは、凹面状の超音波放射面に囲まれた水の共振現象が利用されているためであり、そのため、水中波長をやや超える素子径により得られた特性であると推察される。加えて、凹面状の超音波放射面をもつ球殻状の圧電素子について、素子見込み角を１３０°近くに選ぶと、基本共振周波数のほぼ２倍の周波数における高調波共振が得られることを見出したが、これは、キャビテーション生成を利用する超音波治療を可能とする送波器を構成する圧電素子として好適な特性である。
【００１４】
すなわち、本発明に係るアレイ型超音波送波器は、辺縁部で支持される圧電素子を有し、高強度の超音波を送波するためのアレイ型超音波送波器において、前記圧電素子は、水中における超音波波長の１ないし２倍の直径をもち、凸面または凹面の超音波放射面をもつ球殻状であり、前記辺縁部の質量を相対的に増やすよう、前記球殻の内側からの見込み角が６０ないし１８０度であることを、特徴とする。
【００１５】
本発明に係るアレイ型超音波送波器で、前記圧電素子は、水中における超音波波長の２０分の１以上６分の１以下の厚さを有していてもよい。また、本発明に係るアレイ型超音波送波器は、前記圧電素子が、凸面の超音波放射面をもつ球殻状であり、その見込み角が１０ないし３０度であってもよい。また、前記圧電素子が、凹面の超音波放射面をもつ球殻状であり、その見込み角が１２０ないし１８０度であってもよい。さらに、前記圧電素子が、凹面の超音波放射面と平面の背面とをもつ軸対称形状であり、その凹面の見込み角が５０度以上であってもよい。
【発明の効果】
【００１６】
本発明によれば、超音波周波数域で用いることのできる半導体回路の耐圧をはるかに下回る低い駆動電圧においても高電界を圧電体に印加することにより、高出力の超音波を送波することのできるアレイ型超音波送波器を提供することができる。また、高超音波出力時にも発熱が少なく熱破壊しにくい圧電素子よりなるアレイ型超音波送波器を提供することも可能である。これらにより、高い性能の高強度集束超音波治療装置を、装置全体のコストを抑えて提供することができる。
【図面の簡単な説明】
【００１７】
【図１】本発明の実施の形態のアレイ型超音波送波器の、水中波長をやや越える直径と回転軸対称性とを有する圧電素子を球殻状のハウジングに配列した構造を示す断面図および平面図である。
【図２】本発明の実施の形態のアレイ型超音波送波器の、水中波長をやや越える素子径とその約１０分の１の厚さとを有する球殻状圧電素子について、一定の駆動電圧により得られる超音波出力の相対値を、素子見込み角の関数としてプロットしたグラフである。
【図３】本発明の実施の形態のアレイ型超音波送波器の、凸面状超音波放射面を有する球殻状圧電素子を示す断面図および平面図である。
【図４】本発明の実施の形態のアレイ型超音波送波器の、凹面状超音波放射面を有する球殻状圧電素子を示す断面図および平面図である。
【図５】本発明の実施の形態のアレイ型超音波送波器の、凹面状超音波放射面と平面状背面とを有する圧電素子を示す断面図および平面図である。
【図６】本発明の実施の形態のアレイ型超音波送波器の、球殻状圧電素子ならびに凹面の超音波放射面および平面状の背面を有する圧電素子について、その中心軸方向投影面積あたりの質量分布をプロットしたグラフである。
【図７】本発明の実施の形態のアレイ型超音波送波器の、素子見込み角１８０°の凹面状超音波放射面を有する球殻状圧電素子が放射する超音波音圧の分布をプロットした断面図である。
【図８】本発明の実施の形態のアレイ型超音波送波器の、素子見込み角１８０°の凹面状超音波放射面を有する球殻状圧電素子の超音波出力を圧電素子の厚さの関数としてプロットしたグラフである。
【図９】本発明の実施の形態のアレイ型超音波送波器の、素子見込み角１８０°の凹面状超音波放射面を有する球殻状圧電素子の電気的インピーダンスを周波数についてプロットしたグラフである。
【図１０】本発明の実施の形態のアレイ型超音波送波器の、素子見込み角１３０°の凹面状超音波放射面を有する球殻状圧電素子の電気的インピーダンスを周波数についてプロットしたグラフである。
【図１１】従来の水中波長にほぼ等しい厚さと幅とを有する半波長厚み共振型の圧電セラミック素子を示す断面図および平面図である。
【発明を実施するための形態】
【００１８】
以下、図面に基づき、本発明の実施の形態について説明する。
図１は、水中波長をやや越える直径と素子回転軸対称性とを有する圧電素子５を、球殻状の超音波放射面をもつハウジング４に配列させた構造を有する、本発明の実施の形態のアレイ型超音波送波器である。それぞれの圧電素子５の超音波放射面側電極３は、導電性ハウジング４に電気的に接続されている。また、それぞれの圧電素子５の背面側電極２からは、それぞれ電気的に独立した導線６が引き出されている。これらの導線と導電性ハウジングとの間に与えた電圧が、それぞれの圧電素子に印加される構造となっている。
【００１９】
図２は、素子径が水中波長をやや越える４ｍｍ、厚さが０．３ｍｍの球殻状の圧電セラミック１よりなる素子について、一定の駆動電圧により得られる超音波出力の相対値を、素子見込み角の関数としてプロットしたものである。圧電セラミック１としては、高出力超音波送波器に一般的に用いられる種類のＰＺＴ（チタン酸ジルコン酸鉛）系セラミックを選んだ。
【００２０】
図２中の負の素子見込み角は、図３に示すような凸面状の超音波放射面をもつ球殻状の圧電素子、正の素子見込み角は、図４に示すような凹面状の超音波放射面をもつ球殻状の圧電素子に対応する。
【００２１】
また、図２には、図５に示すような凹面状の超音波放射面と平面状の背面とをもつ圧電素子についても、素子見込み角６０°、素子中央における厚さ０．１ｍｍの素子からの超音波出力をプロットした（図２中の「平凹中央厚０．１ｍｍ」）。さらに、比較対象として、図１１に示す一体構造の厚み共振型ＰＺＴ素子（図２中の「厚み共振型ＰＺＴ」）、および、従来技術によるアレイ型高強度集束超音波治療送波器に用いられている１−３複合圧電材（図２中の「１−３複合材」）についても、同じ超音波放射面積からの超音波出力をプロットした。
【００２２】
図２に示すように、図１１の厚み共振型ＰＺＴ素子に比べ、１−３複合圧電材は、数倍大きな超音波出力を発生しているが、本発明の圧電素子は、いずれの場合も、そのさらに数倍以上の超音波出力を発生している。素子見込み角０°付近に着目すると、凹面状、凸面状にかかわらず、わずかでも曲率を与えると、大きな超音波出力を発生するようになることがわかる。特に、１０ないし３０°の見込み角の凸面状超音波放射面をもつ球殻状の圧電素子は、きわめて大きな超音波出力を発生する。しかし、このように比較的小さな見込み角の超音波放射面をもつ球殻状の圧電素子は、振動する際、辺縁部の振動振幅が特に大きくなるため、ハウジングにより支持するには、特別な工夫が必要となる。
【００２３】
これに対し、球殻状の圧電素子について、素子見込み角を１２０°程度以上に選べば、図６に示すように、素子をハウジングに支持する辺縁部の質量を相対的に増やすことができるので、素子をハウジングに支持する部分の振動振幅を適度に抑制できる。このように小さな振動振幅であれば、ハウジング材料として、超音波吸収による発熱の小さいアルミニウム合金などの金属を用いることができ、高超音波出力時にも熱破壊しにくい送波器を実現しやすい。また、凹面状の超音波放射面と平面状の背面とをもつ圧電素子について、素子見込み角を４５°程度以上に選べば、図６に示すように、同様の効果が得られる。
【００２４】
図２からわかるように、凹面状の超音波放射面をもつ球殻状の圧電素子について、素子見込み角を１８０°に選ぶと、凸面状の超音波放射面をもつ球殻状の圧電素子について、素子見込み角を１８０°に選んだ場合に比べて、段違いに高い超音波出力が得られる。
【００２５】
図７は、前者の圧電素子が放射する超音波音圧の分布をプロットしたものであるが、凹面状の超音波放射面に囲まれた水が共振状態にある様子が観察される。この現象のために、圧電素子の振動が効率的に水の体積振動に変換され、良好な超音波出力特性が得られていると考えられる。なお、同じ周波数において共振する水玉の直径は、この素子径にほぼ等しい。
【００２６】
また、図８は、その超音波出力を圧電素子の厚さの関数としてプロットしたものである。０．３ｍｍすなわち水中波長の１０分の１程度の厚さにおいて超音波出力が最大となる穏やかな出力特性が観察される。これは、圧電素子の駆動力と、凹面状の超音波放射面に囲まれた水の弾性とがバランスする圧電素子の厚さであると解釈できる。
【００２７】
図９は、この圧電素子の電気的インピーダンスを周波数についてプロットしたものである。電気的インピーダンスが純抵抗となる基本周波数は０．５ＭＨｚにあり、この周波数の電圧を電極間に印加することにより、大きな超音波出力が得られる。また、０．８７ＭＨｚ付近にも電気的インピーダンスが純抵抗に近くなる周波数がある。
【００２８】
一方、図１０は、１３０°の素子見込み角の凹面状超音波放射面をもつ球殻状圧電素子の電気的インピーダンスを周波数についてプロットしたものである。電気的インピーダンスが純抵抗となる基本周波数は０．５５ＭＨｚにあり、その２倍である１．１ＭＨｚ付近においても電気的インピーダンスが純抵抗に近くなる。この特性を利用すれば、キャビテーション生成に好適な、基本波に第２高調波を重畳した超音波を送波することができる。これは、通常の半波長厚み共振型圧電素子が奇数倍高調波しか電気信号を超音波に変換できないのに対して際立つ特長であり、キャビテーションを利用して効率を高める超音波治療を可能とする送波器を構成する圧電素子として好適な特性である。さらに、基本周波数の３倍である１．６５ＭＨｚ付近においても電気的インピーダンスが純抵抗に近くなることが認められるように、この圧電素子は、一般に偶数倍・奇数倍両方の高調波の電気信号を超音波に変換できる。すなわち、基本波周期の任意波形の周期関数の電気信号を超音波に変換できるという、超音波送波器として優れた特性を有する。
【産業上の利用可能性】
【００２９】
以上説明したように、本発明によれば、超音波周波数域で用いることのできる半導体回路の耐圧をはるかに下回る低い駆動電圧により高電界を圧電体に印加でき、かつ、高超音波出力時にも発熱が少なく熱破壊しにくい圧電素子よりなる、駆動電圧あたりの超音波出力が高く高強度集束超音波治療に好適なアレイ型超音波送波器を実現することができる。これにより、高い性能の高強度集束超音波治療装置を、装置全体のコストを抑えて提供できる。また、本発明に係るアレイ型超音波送波器の応用は、超音波治療分野のみに限られるものでなく、送波素子と受波素子とを別々に具備する構造をもつソナーなど、水中超音波装置に用いられるアレイ型送受波器にも及ぶものである。従って、本発明の医療ならびに工業における意義はきわめて大きい。
【符号の説明】
【００３０】
１  圧電セラミック
２  背面側電極
３  超音波放射面側電極
４  ハウジング
５  圧電素子
６  導線
【図１】
0005605567.tif 000002
【図２】
0005605567.tif 000003
【図３】
0005605567.tif 000004
【図４】
0005605567.tif 000005
【図５】
0005605567.tif 000006
【図６】
0005605567.tif 000007
【図８】
0005605567.tif 000008
【図９】
0005605567.tif 000009
【図１０】
0005605567.tif 000010
【図１１】
0005605567.tif 000011
【図７】
0005605567.tif 000012